(57)【要約】【課題】  カメラの種類よって装填する電池のサイズが異なる場合にも、電池室の形状を共通の形状にする。【解決手段】  カメラ２の底面に、単３電池１９または単４電池が装填される電池室２０を設ける。電池室２０に、第１電池室２０ａ、第２電池室２０ｂを設ける。カメラ２が単３電池１９を用いて作動させる仕様の場合には、第１電池室２０ａ、第２電池室２０ｂに、単３用プラス接片２２とマイナス接片２３とを取り付ける。カメラ２が単３電池１９よりもサイズの小さい単４電池を用いて作動させる仕様の場合には、単３用プラス接片２２の代わりに、単４用プラス接片２５を、第１電池室２０ａ、第２電池室２０ｂに、それぞれ着脱可能に取り付ける。単４用プラス接片２５の本体部２５ａに、単４電池を支持して径方向の位置を位置決めする位置決めリブ２５ｃを３個形成する。【選択図】        図３
2005310721.tif 000002
【特許請求の範囲】
【請求項１】
装填する電池のサイズが異なる複数種類のカメラの電池当接方法であって、
前記電池のプラス極端子に当接するプラス接片と前記電池のマイナス極端子に当接するマイナス接片とを有し、前記サイズが異なる電池のうちの最大サイズの電池が装填可能な電池室を前記複数種類のカメラにそれぞれ設け、前記複数種類のカメラに前記電池を装填するときには、前記プラス接片が前記電池のプラス極端子に当接するとともに前記マイナス接片が前記電池のマイナス極端子に当接するように、前記電池のサイズに応じて前記プラス接片と前記マイナス接片とのいずれか１つを取り替えることを特徴とするカメラの電池当接方法。
【請求項２】
前記プラス接片と前記マイナス接片とのうち、前記電池室に装填する前記電池のサイズに応じて取り替える少なくとも１つは、前記電池を位置決めする位置決め部を備えたことを特徴とする請求項１記載のカメラの電池当接方法。
【発明の詳細な説明】
【技術分野】
【０００１】
本発明は、カメラの電池当接方法に関するものである。
【背景技術】
【０００２】
現在販売されているカメラの多くは、フイルム給送機構や被写体に向けてストロボ光を照射するストロボ発光部等の電気的に作動する作動部が組み込まれており、カメラには、これらのフイルム給送機構、ストロボ発光部等の作動部を作動させるために電池が装填されている。そのため、カメラには、電池を装填する電池室が設けられている（例えば、特許文献１等）。この電池室には、電池を装填した際に電池のプラス極端子及びマイナス極端子に当接するためのプラス接片及びマイナス接片が取り付けられている。プラス接片を電池のプラス極端子に、マイナス接片をマイナス極端子にそれぞれ当接させることにより、電池から電気を取り出すことができ、この取り出した電気によりフイルム給送機構、ストロボ発光部が作動可能となる。
【０００３】
【特許文献１】特開２００２−１３１８１４号公報
【発明の開示】
【発明が解決しようとする課題】
【０００４】
しかしながら、電池は種類（例えば、単３電池、単４電池等）に応じてサイズが異なり、電池室、プラス接片及びマイナス接片は、カメラに使用する電池の種類に応じた形状にする必要があるため、使用する電池の種類が異なるカメラでは、電池室、プラス接片及びマイナス接片を共通化することができなかった。したがって、電池室、プラス接片及びマイナス接片を、使用する電池の種類に応じて設計する必要があり、手間のかかるものであった。
【０００５】
本発明は、上記従来技術の問題を解決するためになされたものであり、電池をカメラに装填する際に、サイズの異なる電池のプラス極端子及びマイナス極端子を接片に当接させることができるカメラの電池当接方法を提供することを目的とする。
【課題を解決するための手段】
【０００６】
上記目的を達成するために、本発明のカメラの電池当接方法は、装填する電池のサイズが異なる複数種類のカメラの電池当接方法であって、前記電池のプラス極端子に当接するプラス接片と前記電池のマイナス極端子に当接するマイナス接片とを有し、前記サイズが異なる電池のうちの最大サイズの電池が装填可能な電池室を前記複数種類のカメラにそれぞれ設け、前記複数種類のカメラに前記電池を装填するときには、前記プラス接片が前記電池のプラス極端子に当接するとともに前記マイナス接片が前記電池のマイナス極端子に当接するように、前記電池のサイズに応じて前記プラス接片と前記マイナス接片とのいずれか１つを取り替えることを特徴とする。
【０００７】
なお、前記プラス接片とマイナス接片とのうち、前記電池のサイズに応じて取り替える少なくとも１つは、前記電池を位置決めする位置決め部を備えることが好ましい。
【発明の効果】
【０００８】
本発明のカメラの電池当接方法によれば、電池のプラス極端子に当接するプラス接片と電池のマイナス極端子に当接するマイナス接片とを有し、サイズが異なる電池のうちの最大サイズの電池が装填可能な電池室を複数種類のカメラにそれぞれ設け、複数種類のカメラに電池を装填するときには、プラス接片が電池のプラス極端子に当接するとともにマイナス接片が電池のマイナス極端子に当接するように、電池のサイズに応じてプラス接片とマイナス接片とのいずれか１つを取り替えるから、異なるサイズの電池を１つのカメラに装填させることができ、さらには、電池室と、プラス接片及びマイナス接片のいずれか１つとを、共通部品として複数種類のカメラに使用することができるため、複数種類のカメラにそれぞれ形状の異なる電池室を設ける場合に比べて、コストダウンを図ることができる。
【発明を実施するための最良の形態】
【０００９】
図１は、本発明を実施したカメラ２の外観斜視図である。カメラ２の前面には、ズームレンズ４が組み込まれたレンズ鏡筒５、ファインダ６を構成する対物側ファインダ窓７、被写体に向けてストロボ光を照射するストロボ発光部８、シャッタレリーズ操作に用いられるシャッタボタン１１等が設けられている。
【００１０】
レンズ鏡筒５は沈胴式になっており、カメラ２が電源オフ状態にある際に、カメラ２の前面に設けられた鏡筒収納部１２内に収納され、電源オンとともにカメラ２の前面から突出して、広角端で停止する。
【００１１】
カメラ２にて撮影を行う場合、まず、カメラ２の背面に設けられたズーム操作部を利用してズーミングを行う。これにより、レンズ鏡筒５が進退してズームレンズ４の焦点距離が可変される。このズーミング操作に連動して、ファインダ６の変倍も行われる。シャッタボタン１１を半押しすると、周知のオートフォーカス装置が作動して被写体距離を測定し、その測定信号に応じてズームレンズ４のピント合わせが行われる。そして、シャッタボタン１１を全押しすると、撮影が行われる。
【００１２】
カメラ２の内部には、ズーミング操作時に駆動されるモータ１５（図３参照）、電気回路基板１６（図３参照）等が設けられており、ストロボ発光部８やモータ１５等は、電気回路基板１６により制御される。カメラ２は、単３電池１９を用いて作動させる仕様となっている。
【００１３】
図２に示すように、カメラ２の底面には、１．５ボルトの電圧を有する単３電池１９が装填される電池室２０が設けられている。この電池室２０は、塵芥の侵入等を防止するために、開閉式の保護カバー２１によって保護されている。電池室２０には、単３電池１９が２個装填される。
【００１４】
図３及び図４に示すように、電池室２０には、第１電池室２０ａと第２電池室２０ｂとが設けられており、第１電池室２０ａと第２電池室２０ｂとには、単３電池１９のプラス極端子１９ａに当接するための金属製の単３用プラス接片２２と、単３電池１９のマイナス極端子１９ｂに当接するための金属製のマイナス接片２３とがそれぞれ取り付けられている。第１電池室２０ａに取り付けられた単３用プラス接片２２と、第２電池室に取り付けられたマイナス接片２３とは、図示しないワイヤ等により電気的に接続されている。これにより、単３電池１９を第１電池室２０ａと第２電池室２０ｂとにそれぞれ装填すると、１．５ボルトの電圧を有する単３電池１９が、２個直列に繋がれたことになり、３ボルトの電圧が発生する。第１電池室に取り付けられたマイナス接片２３と第２電池室に取り付けられた単３用プラス接片２２とは、それぞれ図示しないワイヤ等により電気回路基板１６に電気的に接続されている。これにより、単３電池１９から取り出された電気は、電気回路基板１６に送られる。電気回路基板１６は、この送られてきた電気により、ストロボ発光部８やモータ１５等を制御する。
【００１５】
図５に示すように、電池室２０には、第１電池室２０ａと第２電池室２０ｂとに仕切るための仕切りリブ２０ｃが形成されており、この仕切りリブ２０ｃにより電池室２０は、第１電池室２０ａと第２電池室２０ｂとに仕切られている。単３用プラス接片２２は、板状の金属により略Ｕ字状に形成されており、第１電池室２０ａの図中上側部と、第２電池室２０ｂの図中下側部とにそれぞれ着脱可能に取り付けられ、当接部（位置決め部）２２ａは、単３電池１９のプラス極端子１９ａに当接して、単３電池１９の図４中上下方向の位置決めを行う。マイナス接片２３は、板状の金属により略Ｕ字状に形成され、第１電池室２０ａ及び第２電池室２０ｂに挿入される変形部２３ａは、弾性変形可能な形状で形成されており、第１電池室２０ａの図中下側部と、第２電池室２０ｂの図中上側部とに、それぞれ取り付けられている。
【００１６】
電池室２０に単３電池１９を装填する場合には、プラス極端子１９ａを図３中上側にした状態で単３電池１９を第１電池室２０ａに装填し、マイナス極端子１９ｂを図３中上側にした状態で単３電池１９を第２電池室２０ｂに装填する。このとき、マイナス接片２３の変形部２３ａが弾性変形するから、単３電池１９を容易に装填することができる。これにより、１．５ボルトの電圧を有する単３電池１９が、２個直列に繋がれたことになり、３ボルトの電圧が発生する。第１電池室２０ａに取り付けられたマイナス接片２３と第２電池室２０ｂに取り付けられた単３用プラス接片２２とは、それぞれ図示しないワイヤ等により電気回路基板１６に電気的に接続されており、単３電池１９から取り出された電気は、電気回路基板１６に送られる。
【００１７】
図６及び図７に示すように、カメラ２が単３電池１９よりもサイズの小さい単４電池２４を用いて作動させる仕様の場合には、単３用プラス接片２２の代わりに、単４電池２４のプラス極端子２４ａに当接するための金属製の単４用プラス接片２５を、第１電池室２０ａの図中上側部と、第２電池室２０ｂの図中下側部とに、それぞれ着脱可能に取り付ける。マイナス接片２３は、単４電池２４のマイナス極端子２４ｂに当接する。単４電池２４は、単３電池１９と同様に１．５ボルトの電圧を有する
【００１８】
図８に示すように、単４用プラス接片２５は、板状の金属により形成され、略コ字状の本体部２５ａと、弾性変形可能な変形部２５ｂとから構成される。本体部２５ａには、単４電池２４を支持して位置決めするための位置決めリブ（位置決め部）２５ｃが３個形成されている。なお、位置決めリブ２５ｃを、弾性変形可能な形状で形成してもよい。
【００１９】
電池室２０に単４電池２４を装填する場合には、プラス極端子２４ａを図６中上側にした状態で単４電池２４を第１電池室２０ａに装填し、マイナス極端子２４ｂを図６中上側にした状態で単４電池２４を第２電池室２０ｂに装填する。このとき、単４電池２４は、単４用プラス接片２５の本体部２５ａにより図６中上下方向の位置が位置決めされるとともに、位置決めリブ２５ｃにより径方向の位置が位置決めされる。また、マイナス接片２３の変形部２３ａが弾性変形するから、単４電池２４を容易に装填することができる。第１電池室２０ａに取り付けられた単４用プラス接片２５と、第２電池室に取り付けられたマイナス接片２３とは、図示しないワイヤ等により電気的に接続されており、１．５ボルトの電圧を有する単４電池２４が、２個直列に繋がれたことになり、３ボルトの電圧が発生する。第１電池室に取り付けられたマイナス接片２３と第２電池室に取り付けられた単４用プラス接片２５とは、それぞれ図示しないワイヤ等により電気回路基板１６に電気的に接続されており、単４電池２４から取り出された電気は、電気回路基板１６に送られる。
【００２０】
このように、カメラ２の仕様が単３電池１９を用いて作動させる仕様の場合には、第１電池室２０ａ及び第２電池室２０ｂに単３用プラス接片２２を取り付けて、第１電池室２０ａ及び第２電池室２０ｂに単３電池１９を装填可能にし、カメラ２の仕様が単４電池２４を用いて作動させる仕様の場合には、第１電池室２０ａ及び第２電池室２０ｂに単４用プラス接片２５を取り付け、第１電池室２０ａ及び第２電池室２０ｂに単４電池２４を装填可能にするから、単３電池１９や単４電池２４等、電池室２０に装填する電池の規格が異なる場合にも、単３用プラス接片２２と単４用プラス接片２５とのどちらかを取り付けることにより対応することができ、電池室２０、マイナス接片２３は共通部品として仕様することができる。
【００２１】
なお、上記実施形態では、電池室２０の第１電池室２０ａ及び第２電池室２０ｂに単３電池１９と単４電池２４とを装填可能にしたが、サイズの異なる複数の電池を装填可能にすることができればよく、例えば、単１電池と単２電池とを装填可能にしてもよく、さらには、単１電池、単２電池、単３電池１９、単４電池２４を装填可能にしてもよい。その場合には、それぞれの電池サイズに応じたプラス接片を第１電池室２０ａ及び第２電池室２０ｂに取り付ける。
【００２２】
また、上記実施形態では、マイナス接片２３を共通部品とし、電池室２０の第１電池室２０ａ及び第２電池室２０ｂに装填する電池のサイズに応じて、単３用プラス接片２２と単４用プラス接片２５とを取り替えたが、プラス接片を共通部品とし、マイナス接片２３を電池のサイズに応じたものに取り替えるようにしてもよい。
【００２３】
さらに、電池室２０の第１電池室２０ａ及び第２電池室２０ｂに単３電池１９を装填する場合には、単３用プラス接片２２の代わりに、例えば、板状の共通プラス接片を第１電池室２０ａ及び第２電池室２０ｂに取り付け、単４電池２４を装填する場合には、共通プラス接片と第１電池室２０ａ及び第２電池室２０ｂとの間にスペーサ部材を取り付けて、単４電池を装填可能にするようにしてもよい。
【図面の簡単な説明】
【００２４】
【図１】本発明を実施したカメラの外観斜視図である。
【図２】カメラの底面側からの外観斜視図である。
【図３】単３用プラス接片とマイナス接片とが取り付けられた電池室を示す斜視図である。
【図４】単３電池が装填された状態の電池室を示す断面図である。
【図５】電池室と、単３用プラス接片と、マイナス接片とを示す分解斜視図である。
【図６】単４用プラス接片とマイナス接片とが取り付けられた電池室を示す斜視図である。
【図７】単４電池が装填された状態の電池室を示す断面図である。
【図８】電池室と、単４用プラス接片と、マイナス接片とを示す分解斜視図である。
【符号の説明】
【００２５】
２  カメラ
８  ストロボ発光部
１９  単３電池
１９ａ  プラス極端子
１９ｂ  マイナス極端子
２０  電池室
２０ａ  第１電池室
２０ｂ  第２電池室
２０ｃ  仕切りリブ
２１  保護カバー
２２  単３用プラス接片
２２ａ  当接部（位置決め部）
２３  マイナス接片
２３ａ  変形部
２４  単４電池
２４ａ  プラス極端子
２４ｂ  マイナス極端子
２５  単４用プラス接片
２５ａ  本体部
２５ｂ  変形部
２５ｃ  位置決めリブ（位置決め部）
【図１】
2005310721.tif 000003
【図２】
2005310721.tif 000004
【図３】
2005310721.tif 000005
【図４】
2005310721.tif 000006
【図５】
2005310721.tif 000007
【図６】
2005310721.tif 000008
【図７】
2005310721.tif 000009
【図８】
2005310721.tif 000010